(57)【要約】【課題】所定の開放的空間で緩やかに占有スペースを確保し、この占有スペースの利用者に、他の利用者に迷惑がかからないように情報を表示する空間仕切システムを提供することを課題とする。【解決手段】所定の開放的空間に設けられた複数の嵌挿孔と、この嵌挿孔内に設置された光学素子を有する光源と、透光性素材によって形成され、上記嵌挿孔に挿入する挿入部を有する装飾体からなる間仕切具と、上記開放的空間の外部情報を表示する外部データに対応する発光パターンデータによって、上記光源の発光パターンを制御する情報処理装置とを有し、この情報処理装置が、上記外部データを取得すると、上記光源が、この外部データに対応した発光パターンデータによって、上記装飾体本体を発光させる空間仕切システムを提供する。 【選択図】図１
2008303621.tif 000002
【特許請求の範囲】
【請求項１】
所定の開放的空間を間仕切具によって任意の小空間に仕切る空間仕切システムであって、
上記所定の開放的空間に設けられた複数の嵌挿孔と、この嵌挿孔内に設置された光学素子を有する光源と、透光性素材によって形成され、上記嵌挿孔に挿入する挿入部を有する装飾体からなる間仕切具と、上記開放的空間の外部情報を表示する外部データに対応する発光パターンデータによって、上記光源の発光パターンを制御する情報処理装置とを有し、この情報処理装置が、上記外部データを取得すると、上記光源が、この外部データに対応した発光パターンデータによって、上記装飾体本体を発光させるものであることを特徴とする空間仕切システム。
【請求項２】
上記情報処理装置は、上記所定の開放的空間の外部情報を検知する検知手段と、この検知された外部情報から外部データを生成するデータ生成手段と、各外部データと上記光源の発光パターンデータとを対応させて記憶する発光パターン記憶手段と、発光パターン記憶手段から読み出された発光パターンデータによって上記光源を発光させる光源制御手段とを有することを特徴とする請求項１記載の空間仕切システム。
【請求項３】
上記光源は、上記装飾体の挿入突起部を上記嵌挿孔に挿入すると、上記光源が電気的に導通して発光し、上記光源制御手段によって発光パターンが変化するものであることを特徴とする請求項１または請求項２記載の空間仕切システム。
【請求項４】
上記開放的空間は、フリーアドレス型デスクの天板であることを特徴とする請求項１から請求項３までのいずれかに記載の空間仕切システム。
【請求項５】
上記検知手段は、戸外の環境情報を上記外部情報として検知するセンサであることを特徴とする請求項１から請求項４までのいずれかに記載の空間仕切システム。
【請求項６】
上記発光パターンは、少なくとも光源の点滅もしくは発光色又はこれらの組み合わせによって構成されるものであることを特徴とする請求項１から請求項５までのいずれかに記載の空間仕切システム。  
【請求項７】
上記情報処理装置は、インターネット網に接続され、上記外部情報として所定のウェブデータを受信する受信手段を有し、上記発光パターン記憶手段は、上記受信した所定のウェブデータと発光パターンデータを対応させたものであることを特徴とする請求項１から請求項６までのいずれかに記載の空間仕切システム。
【請求項８】
上記情報処理装置は、ＬＡＮを介して所定の管理サーバに接続され、上記外部情報として管理サーバから送信される所定の管理データを上記受信手段で受信し、上記発光パターン記憶手段は、この受信した管理データと発光パターンデータとを対応させたものであることを特徴とする請求項１から請求項７までのいずれかに記載の空間仕切システム。
【請求項９】
上記光源は、利用者ＩＤデータの読取手段と読取った利用者ＩＤデータとともに所定の光源を特定する光源ＩＤデータを上記情報処理装置に送信する送信手段とを備え、上記情報処理装置は、上記利用者ＩＤデータを蓄積する利用者ＩＤデータ蓄積手段と各光源ＩＤデータを記憶する光源ＩＤデータ記憶手段を有し、上記発光パターン記憶部は、上記利用者ＩＤデータごとに、上記外部データと発光パターンデータとを対応させて記憶し、利用者ＩＤデータに対応する外部データが生成または受信されると、上記光源制御手段は、上記光源から送信された利用者ＩＤデータを上記利用者ＩＤデータ蓄積手段から読み出し、発光パターン記憶部から、この外部データに対応する発光パターンデータを読み出すとともに、上記光源データ記憶部から、上記利用者ＩＤデータとともに送信された光源ＩＤデータを読み出し、上記光源制御手段は、上記読み出された発光パターンデータによって上記光源ＩＤデータに対応する光源を発光させることを特徴とする請求項１から請求項７までのいずれかに記載の空間仕切システム。
【請求項１０】
上記情報処理装置が、上記装飾体に内蔵されていることを特徴とする請求項１から請求項９までのいずれかに記載の空間仕切システム。
【請求項１１】
上記情報処理装置は、上記開放的空間で上記利用者が使用する情報通信端末と通信自在に接続され、上記情報処理装置は、上記外部データを取得すると、この外部データに対応する発光パターンデータによって光源を発光させるとともに、この外部データを上記情報通信端末に送信し、外部データの詳細な内容をこの情報通信端末で閲覧できるようにしたことを特徴とする請求項１から請求項１０までのいずれかに記載の空間仕切システム。
【発明の詳細な説明】
【技術分野】
【０００１】
所定の開放的空間を間仕切具によって任意の小空間に仕切る空間仕切システムに関し、特に、この間仕切具が所定の情報を光源によって表示する空間仕切システムに関する。
【背景技術】
【０００２】
近年、オフィスなどの居住空間や家具などを開放的な空間として形成し、この開放性を損なわない範囲で、必要に応じて任意の小空間に仕切るフレキシブルなレイアウトが採用されている。
【０００３】
以下、この開放的空間として、フリーアドレス型デスクを例に説明する。フリーアドレス型デスクとは、オフィスの作業スペースとして、従業員が個々に占有する固定席を設けず、複数の従業員が大きなデスクを共有する形態のデスクをいう。
【０００４】
フリーアドレス型デスクを導入した場合、例えば、在席率が５０％であれば、オフィス面積は１/２あればよく、賃料も１/２で済むというコスト削減効果が期待できるほか、情報共有の促進、部門を越えたコミュニケーションの促進等も期待できる。
【０００５】
一方、占有スペースがないことによる疎外感、部下が所定の場所にいないことによる部門内コミュニケーションの低下、部外者が在席していても直ちに気づかないなどのセキュリティ上の不備などの問題が生じるおそれがある。
【０００６】
そこで、従来、天板付家具の天板における使用面上に起立させてこの使用面を区画するサイドスクリーンであって、スクリーン本体の下縁部における幅寸法をスクリーン本体が自立可能な寸法とするとともに、スクリーン本体の上縁部における幅寸法を前記下縁部における幅寸法よりも小さくするものが提案されていた（例えば、特許文献１参照）。このサイドスクリーンによれば、上記上縁部は、下縁部よりも幅薄としているので、天板の上方空間を不必要に狭めることなく、天板の利用者に過剰な圧迫感を感じさせないものとすることができる。
【特許文献１】特開２００５−２１３９３（請求項１の記載）
【発明の開示】
【発明が解決しようとする課題】
【０００７】
しかし、いかにコンパクトに構成されたものであっても、サイドスクリーンを取り付けた状態は、明らかに占有スペースを確保していることを意思表示しており、フリーアドレス型デスク本来の機能を損ねる結果を招来するという不都合があった。
【０００８】
一方で、占有スペースの確保は、ある程度必要欠くべからざるものであり、他の利用者に対して、フリーアドレス型デスクの機能を損ねない範囲で、緩やかに意思表示できるものが望まれていた。
【０００９】
また、フリーアドレス型デスクでは、利用者に対して種々の情報を表示をするときに、他の利用者の迷惑にならない方法で提供することが特に必要になる。
【００１０】
上記のような問題は、フリーアドレス型デスクに限らず、所定の開放的空間を一時的に任意の小空間に仕切る必要が生じた場合に、共通する問題である。
【００１１】
そこで、本発明は、上記問題点に鑑み、所定の開放的空間で緩やかに占有スペースを確保し、この占有スペースの利用者に、他の利用者に迷惑がかからないように情報を表示する空間仕切システムを提供することを課題とする。
【課題を解決するための手段】
【００１２】
上記課題を解決するため、本発明にかかる空間仕切りシステムは、所定の開放的空間を間仕切具によって任意の小空間に仕切る空間仕切システムであって、上記所定の開放的空間に設けられた複数の嵌挿孔と、この嵌挿孔内に設置された光学素子を有する光源と、透光性素材によって形成され、上記嵌挿孔に挿入する挿入部を有する装飾体からなる間仕切具と、上記開放的空間の外部情報を表示する外部データに対応する発光パターンデータによって、上記光源の発光パターンを制御する情報処理装置とを有し、この情報処理装置が、上記外部データを取得すると、上記光源が、この外部データに対応した発光パターンデータによって、上記装飾体本体を発光させるものであることを特徴とする。
【００１３】
この構成によれば、所定の開放的空間を装飾体からなる間仕切具で仕切り、上記光源の発光パターンによって装飾体を発光させて、外部情報を表示することができる。
【００１４】
上記情報処理装置は、上記所定の開放的空間の外部情報を検知する検知手段と、この検知された外部情報から外部データを生成するデータ生成手段と、各外部データと上記光源の発光パターンデータとを対応させて記憶する発光パターン記憶手段と、発光パターン記憶手段から読み出された発光パターンデータによって上記光源を発光させる光源制御手段とを有するものであればよい。
【００１５】
上記光源は、上記装飾体の挿入突起部を上記嵌挿孔に挿入した状態で、上記光源が電気的に導通して定常的な発光状態となり、上記外部情報を取得した場合、上記光源制御手段によって発光パターンが変化するように構成してもよい。
【００１６】
ここで、開放的空間とは、床面、家具などの天板など、多様な態様が対象となるが、たとえば、フリーアドレス型デスクの天板が該当する。
【００１７】
上記検知手段は、戸外の環境情報、たとえば、天気、気温、湿度などを検知するセンサであればよい。
【００１８】
上記発光パターンは、少なくとも光源の点滅もしくは発光色又はこれらの組み合わせによって構成されるものであればよい。
【００１９】
上記情報処理装置は、インターネット網に接続され、上記外部情報として所定のウェブデータを受信する受信手段を有し、上記発光パターン記憶手段は、上記受信した所定のウェブデータと発光パターンデータを対応させたものであってもよい。たとえば、鉄道の運休データ、高速道路の渋滞データなどである。
【００２０】
また、ＬＡＮを介して所定の管理サーバに接続され、上記外部情報として管理サーバから送信される所定の管理データを上記受信手段で受信し、上記発光パターン記憶手段は、この受信した管理データと発光パターンデータとを対応させたものであってもよい。たとえば、会議室空き状況を示すデータ、管理者の呼び出しデータなどである。
【００２１】
ところで、フリーアドレス型デスクの場合、利用者ごとに所望する外部情報が異なる場合がある。
【００２２】
そこで、利用者ごとに、異なる外部情報を表示させるために、上記光源は、利用者ＩＤデータの読取手段と読取った利用者ＩＤデータとともに所定の光源を特定する光源ＩＤデータを上記情報処理装置に送信する送信手段とを備え、上記情報処理装置は、上記利用者ＩＤデータを蓄積する利用者ＩＤデータ蓄積手段と各光源ＩＤデータを記憶する光源ＩＤデータ記憶手段を有し、上記発光パターン記憶部は、上記利用者ＩＤデータごとに、上記外部データと発光パターンデータとを対応させて記憶し、利用者ＩＤデータに対応する外部データが生成または受信されると、上記光源制御手段は、上記光源から送信された利用者ＩＤデータを上記利用者ＩＤデータ蓄積手段から読み出し、発光パターン記憶部から、この外部データに対応する発光パターンデータを読み出すとともに、上記光源データ記憶部から、上記利用者ＩＤデータとともに送信された光源ＩＤデータを読み出し、上記光源制御手段は、上記読み出された発光パターンデータによって上記光源ＩＤデータに対応する光源を発光させるようにすればよい。
【００２３】
上記情報処理装置は、上記装飾体とは別に光源と接続されたものであってもよいが、上記装飾体に内蔵されたものであってもよい。
【００２４】
上記情報処理装置は、上記開放的空間で上記利用者が使用する情報通信端末と通信自在に接続され、上記情報処理装置は、上記外部データを取得すると、この外部データに対応する発光パターンデータによって光源を発光させるとともに、この外部データを上記情報通信端末に送信し、外部データの詳細な内容をこの情報通信端末で閲覧できるようにしてもよい。
【発明の効果】
【００２５】
以上の説明から明らかなように、本発明にかかる空間仕切システムは、所定の開放的空間を仕切るために、装飾体を利用しているため、開放的空間を形成した本来の目的を損なわずに、緩やかに占有スペースを確保し、上記所定の開放的空間の外部情報も、光源によって発光パターンで表示するため、直感的でわかりやすく、他の利用者に迷惑がかからない情報表示を実現できるという効果を奏する。
【００２６】
また、装飾体を任意の嵌挿孔に挿入するだけで、空間を仕切ることができるため、複雑な施工を必要とせず、ニーズに応じて柔軟、簡単かつ安価に空間を仕切ることができるという効果を奏する。
【発明を実施するための最良の形態】
【００２７】
図１を参照して、１は、本発明にかかる空間仕切システムを構成するフリーアドレス型デスクである。空間仕切システム１は、所定の開放的空間を間仕切具によって任意の小空間に緩やかに仕切るものであればよい。本実施の形態では、フリーアドレス型デスク１の天板１１を上記所定の開放的空間の例として説明する。
【００２８】
天板１１には、複数の嵌挿孔１２が形成されている。嵌挿孔１２は、植物を模した装飾体２を挿入することができる。この装飾体２は、装飾的機能を果たすとともに、緩やかに天板１１の間仕切的機能も果たす。
【００２９】
なお、本実施の形態では、嵌挿孔１２を天板１１上面全体に略等間隔に形成しているが、この形態に限定する趣旨ではない。従って、たとえば、天板１１の長手方向中央部に一列だけ嵌挿孔１２を形成してもよい。
【００３０】
また、天板１１に多数の嵌挿孔１２を形成すると、未使用の嵌挿孔１２に埃、ゴミが溜まる場合があり、さらに、利用者の作業時にこの未使用の嵌挿孔１２が凹凸を形成し、筆記作業の障害になる場合もある。そこで、未使用の場合は、スライド式や押圧挿入式の蓋部によって嵌挿孔１２を塞ぐようにしてもよい。
【００３１】
嵌挿孔１２の中には、後述する光源が設置されており、この光源は、情報処理装置３によって発光パターンが制御されている。
【００３２】
図２（ａ）は、上記装飾体２の概観図である。本実施の形態では、上記の通り、植物を模したものであるが、抽象的なオブジェなど、装飾機能を有し、開放的空間を緩やかに仕切るものであれば、本実施の形態に限定されるものではない。
【００３３】
装飾体２は、透光性素材で形成され、幹となる中空管からなる支柱部２１と、支柱部２１から、枝状に延びた枝部２２とから構成されている。支柱部２１は、径の異なる管を入れ子式に嵌挿し、伸縮自在に高さ調整ができるようにしてもよい（図示せず）。また、枝部２２は、利用者の嗜好に合わせて着脱自在に装着可能な構成にしてもよい（図示せず）。
【００３４】
本実施の形態では、支柱部２１は、中空管としたが、透光性素材で形成されていれば、中空なものに限定する趣旨ではない。
【００３５】
支柱部２１の下部は、嵌挿孔１２（図１参照）に挿入する挿入部２３を形成するために、鍔状の係止リング２４が設けられている。なお、この係止構造は、挿入部２３を嵌挿孔１２に挿入して安定的に係止できるものであれば、この係止リング２４に限定される趣旨ではなく、例えば、挿入部２３に１以上の係止突起部を形成し、この係止突起部が嵌合するように嵌挿孔１２に嵌合穴を設け、ロックするような形態であってもよい。
【００３６】
図２（ｂ）は、挿入部２３の底面図である。挿入部２３の内部は、上記の通り、管状の中空管からなり、内部の中空部２５は、後述する光源を収納できる大きさに形成されている。なお、挿入部２３は、支柱部２１と一体に連通している。
【００３７】
図３は、天板１１に形成された嵌挿孔１２に、光源４を設置した状態を示す側断面図である。図３（ａ）は、装飾体２の挿入部２３を嵌挿孔１２に嵌挿する前の状態を示したものである。嵌挿孔１２は、天板１１を貫通して形成され、天板１１の下面から光源ユニット４を挿着する。光源ユニット４は、ＬＥＤなどの発光素子４１と発光素子４１を上面に載置し、嵌挿孔１２に挿着可能な有底筒状の台座４２と発光素子４１に接続され、台座４２の下端から延出する配線４３とから構成されている。台座４２の下端面は、台座４２と同心円で、嵌挿孔１２の内径よりも拡径された基台４４が接合され、台座４２全体が嵌挿孔１２内に入り込むことを阻止する。
【００３８】
台座４２は、嵌挿孔１２に挿入して挿着する。挿着は、基台４４から天板１１の裏面に向けて螺設するもの、台座４２を螺挿するもの、台座４２を嵌挿孔１２と略同径の弾性材料で形成し、嵌挿孔１２に圧入することにより密栓するものなど、いずれであってもよい。
【００３９】
図３（ｂ）は、装飾体２の挿入部２３を嵌挿孔１２に嵌挿した状態を示したものである。挿入部２３を嵌挿孔１２に挿入し、中空部２５（図３参照）内に発光素子４１を収納すると、発光素子４１が発光し、装飾体２を発光させる。発光素子を電気的導通によって発光させるには、情報処理装置３（図１参照）で発光素子４１のスイッチのオン、オフをコントロールしてもよいが、台座４２内にスイッチ機構を内設し（図示せず）、挿入部２３を嵌挿する前は、スイッチ回路を遮断した状態にし、挿入部２３が嵌挿され、挿入部２３の終端縁部が台座４２の上面を押圧することにより、上記スイッチ回路が閉回路を形成し、スイッチがオン状態となって電気的に導通し、発光素子を発光させるようにしてもよい。
【００４０】
中空部２５内部で発光素子が発光すると、透光性素材で形成された装飾体２の支柱部２１、枝部２２を介して外部に光を発光させる。
【００４１】
図４は、本発明にかかる情報処理装置の第１の実施形態を示すブロック構成図である。情報処理装置３は、外部情報を取得、受信して、外部情報に対応した発光パターンによって光源ユニット４の発光素子４１を発光させる。
【００４２】
ここで外部情報とは、上記開放的空間、すなわち、本実施の形態では、フリーアドレス型デスク１が設置されている空間の外部の情報をいう。
【００４３】
情報処理装置３に接続されたセンサ３１は、天候などの環境情報を外部情報として検知し、検知情報を情報処理装置３が受け取る。検知情報は、情報処理装置３の制御部３２のデータ生成部３２１で環境データとして生成される。
【００４４】
また、情報処理装置３は、インターネット網Ｉに接続され、制御部３２のデータ受信部３２２で、交通情報などのウェブデータを外部情報として受信する。
【００４５】
さらに、情報処理装置３は、ＬＡＮ網Ｌを介して管理サーバＳに接続され、制御部３２のデータ受信部３２２で、社内情報などの管理データを外部情報として受信する。
【００４６】
上記データ生成部３２１で生成された環境データ、データ受信部３２２で受信したウェブデータ及び管理データ（以下、環境データ、ウェブデータ、管理データを総称して「外部データ」という）は、予め制御部３２の発光パターン記憶部３２３で、発光パターンデータと対応させて記憶されている。
【００４７】
生成または受信した外部データに対応する発光パターンデータを発光パターン記憶部３２３から読み出し、読み出された発光パターンデータは、データ／信号変換処理部３２４に転送されて、光源ユニット４の発光素子４１を発光させる信号に変換させる。光源制御部３２５によって、上記変換された信号に対応するパターンで光源ユニット４を発光させる。
【００４８】
本実施の形態では、光源ユニット４は１つだけであるが、情報処理装置３は、複数の光源ユニット４を制御するものであってもよい。
【００４９】
図５は、本発明にかかる情報処理装置の第２の実施形態を示すブロック構成図である。なお、図４の第１の実施形態と同じ機能のものについては、同じ符号を付し、詳細な説明は省略する。
【００５０】
フリーアドレス型デスクの場合、利用者ごとに所望する外部情報が異なる場合がある。そこで、第２の実施形態は、個々の利用者に対して異なる外部情報を表示させるようにしたものである。
【００５１】
本実施の形態では、空間仕切システム１が、３つの光源ユニット４ａ、４ｂ、４ｃを有し、各光源ユニット４ａ〜４ｃが、各々利用者ＩＤデータを読取るリーダ５ａ〜５ｃを備えたものを示した。ここで、利用者ＩＤデータとは、空間仕切システムを利用する利用者をユニークに特定するＩＤデータをいう。
【００５２】
情報処理装置３は、利用者ＩＤデータを蓄積する利用者ＩＤデータ蓄積部３２７と各光源ユニット４ａ〜４ｃを特定する光源ＩＤデータを蓄積する光源ＩＤデータ蓄積部３２８とを有する。
【００５３】
発光パターン記憶部３２３では、利用者ＩＤデータごとに、外部データと発光パターンデータとを対応させて記憶している。
【００５４】
たとえば、利用者が、自分の利用者ＩＤデータをリーダ５ａで読み込ませると、利用者ＩＤデータとともに、光源ユニット４ａの光源ＩＤデータを図示しない送信手段によって情報処理装置３に送信する。
【００５５】
情報処理装置３は、認証部３２６で受信した利用者ＩＤデータが、利用者ＩＤデータ蓄積部３２７に登録されたデータか否かの認証処理を行なう。
【００５６】
上記認証処理後、この利用者ＩＤデータに対応する外部データが生成または受信されると、利用者ＩＤデータ蓄積部３２７から利用者ＩＤデータが読み出され、データ／信号変換処理部３２４では、発光パターン記憶部３２３から、上記読み出された利用者ＩＤデータに対応させて記憶されている外部データで上記生成、受信された外部データに合致するものを検索し、合致する外部データに対応する発光パターンデータを読み出す。
【００５７】
また、利用者ＩＤデータとともに送信された光源ＩＤデータを光源ＩＤデータ記憶部３２８から読み出し、上記読み出された発光パターンデータと光源ＩＤデータから、光源を発光させる信号に変換する処理を行なう。
【００５８】
光源制御部３２５では、この変換された信号に基づいて、特定の光源ユニット４ａを発光させる。
【００５９】
光源ユニット４ｂ、４ｃについても同様の処理を行うことにより、個々に発光させることができる。
【００６０】
なお、第１、第２のいずれの実施形態も、上記制御部３２は、情報処理装置３に設けられているが、装飾体２に上記制御部を内蔵した形態であってもよい（図示せず）。
【００６１】
図６は、本発明にかかる情報処理装置の第３の実施形態を示すブロック構成図である。なお、図４の第１の実施形態と同じ機能のものについては、同じ符号を付し、詳細な説明は省略する。
【００６２】
第３の実施形態は、情報処理装置３に上記利用者が使用する情報通信端末６を通信自在に接続したものである。情報処理装置３は、データ生成部３２１で生成された外部データ、データ受信部３２２で受信された外部データを情報通信端末６に送信するデータ送信部３２９を有する。
【００６３】
この外部データを受信した情報通信端末６は、外部データの内容を閲覧することができる。従って、情報処理装置３で外部データを取得すると、光源ユニット４で装飾体２を発光させるとともに、発光によって表示された外部情報の詳細な内容を情報通信端末６で閲覧することもできる。この場合、情報通信端末６に配信される外部データは、利用者が閲覧要求をした場合にのみ表示されるプル型、情報処理装置３から一方的に送信するプッシュ型のいずれであってもよい。
【００６４】
なお、上記情報通信端末６は、第２の実施形態における情報処理装置３に接続してもよい（図示せず）。
【００６５】
図７は、発光パターンデータテーブルの概略を例示したものである。図６（ａ）は、センサデータに対応させたもの、（ｂ）は、ウェブデータに対応させたもの、（ｃ）は、社内管理データに対応させたものを示した。
【００６６】
図７（ａ）は、野外の環境内においてセンサで検知した情報を外部データとして生成したもので、雨の場合、発光パターンデータは、水色点滅で表示、気温２５℃以上は、赤色点滅で表示、湿度６０％以上黄色点滅で表示することを示している。
【００６７】
図７（ｂ）は、受信した交通情報に関するウェブデータについて、ＪＲ○○線運休の場合、緑色点滅で表示、首都高速××線５Ｋｍ以上渋滞の場合、ピンク色点滅で表示することを示している。
【００６８】
図７（ｃ）は、社内の管理データについて、会議室満室の場合、橙色点滅で表示、メール受信の場合、茶色点滅で表示、所属長呼出の場合、青色点滅で表示することを示している。
【図面の簡単な説明】
【００６９】
【図１】本発明にかかる空間仕切システムの概観図
【図２】（ａ）装飾体の側面図、（ｂ）装飾体の底面図
【図３】（ａ）光源が設けられた嵌挿孔の側断面図、（ｂ）装飾体が嵌挿孔に挿入された状態を示す嵌挿孔の側断面図
【図４】第１実施形態における情報処理装置のブロック構成図
【図５】第２実施形態における情報処理装置のブロック構成図
【図６】第３実施形態における情報処理装置のブロック構成図
【図７】（ａ）センサデータに対応する発光パターンデータテーブル、（ｂ）ウェブデータに対応する発光パターンデータテーブル、（ｃ）社内管理データに対応する発光パターンデータテーブル
【符号の説明】
【００７０】
１    空間仕切システム
２    装飾体
３    情報処理装置
４    光源
５    リーダ
６    情報通信端末
【図１】
2008303621.tif 000003
【図２】
2008303621.tif 000004
【図３】
2008303621.tif 000005
【図４】
2008303621.tif 000006
【図５】
2008303621.tif 000007
【図６】
2008303621.tif 000008
【図７】
2008303621.tif 000009